(57)【要約】【課題】係止部等の突出部の分岐用端子を挿入すべき開口からの誤挿入を防止して、正規の状態での取り付けを確実にし、短絡を防止できるバスダクト分岐装置を提供する。【解決手段】バスダクト１０の開口３６２から挿通され、導電性接続部材３１と導通される分岐用端子４５が箱体４１の外方へ突出して設けられるバスダクト分岐装置であって、箱体４１の外方へ突出して設けられる導電性の係止部４２を有し、規制部４３の延在部４３２や板部４３３がバスダクト１０の絶縁セパレータ３２に当接して、係止部４２の開口３６２からの挿入を導電性接続部材３１に非接触な位置までに規制する。【選択図】図７
2008109786.tif 000002
【特許請求の範囲】
【請求項１】
バスダクトの開口から挿通され、バスダクトの通電部と導通される分岐用端子が箱体の外方へ突出して設けられるバスダクト分岐装置であって、
該箱体の外方へ突出して設けられる突出部を有し、
該突出部の該開口からの挿入を規制する規制部を設けることを特徴とするバスダクト分岐装置。
【請求項２】
前記突出部が導電性であり、前記規制部が該突出部の該開口からの挿入を該通電部に非接触な位置までに規制することを特徴とする請求項１記載のバスダクト分岐装置。
【請求項３】
前記突出部として、バスダクトの係止孔に挿通されて前記箱体の回動中心を構成する係止部、若しくは前記箱体をバスダクトへ固定する固定部、若しくは該係止部と固定部の双方を有することを特徴とする請求項１又は２記載のバスダクト分岐装置。
【請求項４】
前記規制部を、バスダクトの絶縁セパレータ間へ所定方向若しくは全方向で挿入が不能な挿入規制部で規制する構成とすることを特徴とする請求項１〜３の何れかに記載のバスダクト分岐装置。
【請求項５】
前記規制部を、前記突出部の先端よりも外方まで突出し、前記バスダクトの通電部と当接可能な絶縁性の当接部で規制する構成とすることを特徴とする請求項１〜３の何れかに記載のバスダクト分岐装置。
【請求項６】
分岐用端子が挿入される開口と、該開口から挿入される分岐用端子と導通される通電部とを備えるバスダクトと、
箱体の外方へ突出して設けられる分岐用端子及び突出部と、該突出部の該バスダクトの開口からの挿入を規制する規制部とを備える分岐装置と、で構成されることを特徴とするバスダクト分岐構造。
【発明の詳細な説明】
【技術分野】
【０００１】
本発明はバスダクトを分岐するバスダクト分岐装置及びバスダクト分岐構造に関する。
【背景技術】
【０００２】
従来、バスダクトの分岐装置として、箱体の取付面から分岐用端子と係止部材とを突出して設け、バスダクトの係止孔に前記係止部を挿入し、前記係止孔に挿入した係止部を中心に箱体を回動することにより、前記分岐用端子を開口から挿入してバスダクトの通電部と導通させると共に前記箱体をバスダクトに取り付けるものが知られている（特許文献１、２参照）。そして、特許文献２のバスダクト分岐装置では、係止部を箱体から外方へ突出する位置に係止部を設け、取り付け作業時に係止部を目視できるようにしている。
【０００３】
【特許文献１】実公昭６０−３９９９４号公報
【特許文献２】特開２００２−１３５９５１公報
【発明の開示】
【発明が解決しようとする課題】
【０００４】
ところで、上記バスダクト分岐装置では、係止部が係止孔ではなく、分岐用端子を挿入すべき開口から誤って挿入されてしまい、誤った状態での取り付けや、係止部とバスダクト通電部との導通による短絡が生じ得る。特許文献２のバスダクト分岐装置では、取り付け作業時に係止部を目視可能にして、取付作業の確実性や安全性がある程度高められてはいるものの、前記係止部の誤挿入を完全に防止することはできない。特に、取付作業を行う作業空間が狭い場合には係止部が目視しにくくなるため、前記誤挿入が生ずる可能性が高くなる。そのため、係止部の誤挿入による誤った状態での取り付けや短絡を防止できる構成が求められている。また、上記係止部以外の突出部が設けられる場合でも、その突出部が分岐用端子を挿入すべき開口からバスダクト内へ誤って挿入され、同様の問題を生ずる。
【０００５】
本発明は上記課題に鑑み提案するものであって、係止部等の突出部の分岐用端子を挿入すべき開口からの誤挿入を防止し、正規の状態での取り付けを確実にすることができるバスダクト分岐装置及びバスダクト分岐構造を提供することを目的とする。また、他の目的は、導電性の係止部等の突出部の分岐用端子を挿入すべき開口からの誤挿入を防止し、短絡を防いで安全性を高めることができるバスダクト分岐装置及びバスダクト分岐構造を提供することにある。
【課題を解決するための手段】
【０００６】
本発明のバスダクト分岐装置は、バスダクトの開口から挿通され、バスダクトの通電部と導通される分岐用端子が箱体の外方へ突出して設けられるバスダクト分岐装置であって、箱体の外方へ突出して設けられる突出部を有し、突出部の開口からの挿入を規制する規制部を設けることを特徴とする。尚、突出部には、例えば導電性の突出部に絶縁被覆を施したものや絶縁素材で形成された突出部など絶縁性の突出部と、導電性の突出部の双方が含まれる。
【０００７】
また、本発明のバスダクト分岐装置は、突出部が導電性であり、規制部が突出部の開口からの挿入をバスダクトの通電部に非接触な位置までに規制することを特徴とする。バスダクトの通電部には、例えば露出している導体若しくは導体端部、若しくは導体に取り付けられた接続片、若しくは接続部に於ける導電性接続部材、若しくは接続導体、若しくはこれらの組み合わせ等、バスダクトで通電している適宜の箇所が含まれる。また、規制部が導電性である場合には、規制部の開口からの挿入もバスダクトの通電部に非接触な位置までに規制するとよい。
【０００８】
また、本発明のバスダクト分岐装置は、突出部として、バスダクトの係止孔に挿通されて箱体の回動中心を構成する係止部、若しくは箱体をバスダクトへ固定する固定部、若しくは係止部と固定部の双方を有することを特徴とする。また、バスダクト分岐装置のバスダクトへの取付面側から突出する分岐用端子以外の係止部等の全ての突出部の挿入を規制する構成とすると好ましく、更に、バスダクト分岐装置の分岐用端子以外の全ての突出部の挿入を規制する構成とすることも可能である。
【０００９】
また、本発明のバスダクト分岐装置は、規制部を、バスダクトの絶縁セパレータ間へ所定方向若しくは全方向で挿入が不能な挿入規制部で規制する構成とすることを特徴とする。前記挿入規制部には、例えば実施形態の延在部、板部、側部、若しくはこれらの適宜の組み合わせ等が含まれる。
【００１０】
また、本発明のバスダクト分岐装置は、規制部を、突出部の先端よりも外方まで突出し、前記バスダクトの通電部と当接可能な絶縁性の当接部で規制する構成とすることを特徴とする。前記当接部には、例えば実施形態の延在部、板部、若しくはこれらの組み合わせ等が含まれる。
【００１１】
また、本発明のバスダクト分岐構造は、分岐用端子が挿入される開口と、開口から挿入される分岐用端子と導通される通電部とを備えるバスダクトと、箱体の外方へ突出して設けられる分岐用端子及び突出部と、突出部のバスダクトの開口からの挿入を規制する規制部とを備える分岐装置と、で構成されることを特徴とし、好適には、分岐装置の規制部が、導電性の突出部のバスダクト開口からの挿入をバスダクトの通電部に非接触な位置までに規制する構成とするとよい。
【００１２】
尚、本明細書に開示の発明には、各発明の部分的な構成を他の構成に変更したもの、或いは各発明の構成に他の構成を付加したもの、或いは各発明の部分的な構成を部分的な作用効果が得られる限度で削除して上位概念化したものも含まれる。例えば、本発明のバスダクト分岐構造には、本発明のバスダクト分岐装置の構成を適宜採用することが可能である。
【発明の効果】
【００１３】
本発明のバスダクト分岐装置或いはバスダクト分岐構造は、分岐装置の突出部のバスダクト開口からの挿入を規制する規制部を設けることにより、係止部、固定部等の突出部の分岐用端子を挿入すべき開口からの誤挿入や設置を防止でき、正規の状態での取り付けを確実にすることができる。
【００１４】
また、規制部が導電性の突出部のバスダクト開口からの挿入を通電部に非接触な位置までに規制することにより、係止部、固定部等の突出部の分岐用端子を挿入すべき開口へ誤挿入で生ずる短絡を防止でき、安全性を高めることができる。
【００１５】
また、バスダクトの絶縁セパレータ間へ所定方向若しくは全方向で挿入が不能な挿入規制部で規制することにより、簡単且つ安価に挿入を規制することができると共に、硬い部材が絶縁セパレータ間に入り込んで絶縁セパレータや導電性接続部材等を損傷することを防止でき、更には、絶縁セパレータに挿入規制部が当接した早い時点で誤挿入を認識し、スピーディに取付位置を修正することができる。
また、突出部の先端よりも外方まで突出し、バスダクトの通電部と当接可能な絶縁性の当接部で規制することにより、簡単且つ安価に挿入を規制することができると共に、より完全な短絡防止を図ることも可能となる。
【発明を実施するための最良の形態】
【００１６】
以下、本発明の具体的な実施形態について説明するが、本発明は以下の実施形態に限定されるものではない。
［第１実施形態］
第１実施形態のバスダクト分岐装置４０は、図１に示すバスダクト１０に取り付けられる。バスダクト１０（バスダクト幹線路）は、バスダクトユニット２０・２０を接続ユニット３０で連結して電気的に接続することにより構成される。
【００１７】
バスダクトユニット２０には、板状の導体に絶縁被覆が施された絶縁被覆導体２１の三相が積層して設けられている。これらの絶縁被覆導体２１の幅方向両側には一対の断面視ロ字形のスペーサ２２・２２が配設され、絶縁被覆導体２１の厚さ方向両側には絶縁被覆導体２１及びスペーサ２２を挟持するようにして一対の側板２３・２３が配設され、前記一対の側板２３・２３を、貫通するボルト２４１やナット２４２等の締着具を緊締して固定することにより、ハウジングが構成される。側板２３は、バスダクトユニット２０の強度向上を図るため断面視略コ字形に形成され、外側の絶縁被覆導体２１と接触し、前記締着具が取り付けられる基板２３１と、基板２３１の幅方向両端縁から外方へ屈曲して延設される第１補強部２３２と、第１補強部２３２の端縁から互いに近づくように向き合って屈曲延設される第２補強部２３３とを有する。また、絶縁被覆導体２１の先端は絶縁被覆のない露出した導体端部２１１となっていると共に、外側の絶縁被覆導体２１は先端近傍で外方へ屈曲されており、各導体端部２１１は所定距離離間して配置されている。更に、絶縁被覆導体２１の前記屈曲箇所の両外方には、平面視略Ｌ字形の接続側板２３４が基板２３１から延設して或いは基板２３１に別体で取り付けて設けられている。
【００１８】
接続ユニット３０は、板状の導体端部２１１の幅よりも幅広の板状に形成され、導体端部２１１を挿入可能な所定間隔を開けて互いに配置される導電性接続部材３１と、導電性接続部材３１よりも幅及び長さが大きい板状に形成され、導電性接続部材３１の外側に配置される板状の絶縁セパレータ３２とを有する。導電性接続部材３１・３１間の前記所定間隔の空間には、バスダクトユニット２０・２０の導体端部２１１・２１１が突き合うように挿入され、導電性接続部材３１は、前記導電性接続部材３１・３１間の導体端部２１１の外側に沿うように配置され、同相の導体端部２１１・２１１を電気的に接続し、絶縁セパレータ３２は異相の導体端部２１１・２１１相互間を絶縁する。
【００１９】
図１及び図６に示すように、接続ユニット３０の両側方の最外側には、中央が内側へ凹む平面視略Ω字形に形成された接続継板３３が設けられ、接続継板３３の前記凹み部分には断面視略コ字形の押さえ部材３４が設けられる。導電性接続部材３１、絶縁セパレータ３２、接続継板３３、押さえ部材３４の中央には貫通孔が形成されており、両側の押さえ部材３４・３４の外側に座金３５１・３５１を配置し、前記貫通孔にボルト３５２を挿通してナット３５３を締め、座金３５１、ボルト３５２、ナット３５３等の締着具で締着して接続ユニット３０が構成される。
【００２０】
バスダクトユニット２０・２０の接続ユニット３０による接続では、前記導電性接続部材３１・３１間に導体端部２１１・２１１を挿入し、ボルト３５２及びナット３５３を緊締して一括締着し、導体端部２１１・２１１を電気的に接続し、接続継板３３と接続側板２３４とをビス止め等で固定する。更に、上下の対応開放面に正面視略コ字形の接続板３６・３６を配置して、ビス止め等で側板２３に固定してバスダクトユニット２０・２０が連結及び電気的に接続される。前記上下に配置される接続板３６・３６の内、少なくとも分岐装置２０が取り付けられる側の接続板３６には、後述する分岐装置４０の係止部４２或いは係止片４２２が挿入され、係止する係止孔３６１と、分岐用端子４５が挿入される開口３６２が設けられる。
【００２１】
分岐装置４０は、図２及び図４に示すように、上面の前後端以外が開放している基体４１１に前記開放領域を覆う蓋４１２をビス止め等で取り付けた箱体４１と、箱体４１の底面より下方へ突出し且つ箱体４１の前面より前方へ突出し、箱体４１の底面の前端近傍にリベット等の固定具で取り付けられる正面視略コ字形の係止部４２と、箱体４１の底面より下方へ突出し且つ箱体４１の前面より前方へ突出するようにして箱体４１の前面に於ける係止部４２の外側位置に配置され、箱体４１の前面にリベット等の固定具で取り付けられる正面視略コ字形の規制部４３と、箱体４１の底面より下方へ突出し、箱体４１の底面の後端近傍にリベット等の固定具で取り付けられる固定部４４と、箱体４１の底面の中央より前側の位置で箱体４１の底面から下方へ突出して設けられる分岐用端子４５と、箱体４１の上面の前端位置に取り付けられる取っ手４６とを備える。尚、図には省略するが、箱体４１内には、分岐用端子４５と接続される導線やブレーカーが設けられ、これらを介して箱体４１の外に電源を分岐するようになっている。
【００２２】
係止部４２は、箱体４１の底面に固定される略平板状の基部４２１と、基部４２１の両側端縁を略直角に屈曲して下方へ延設される係止片４２２を有し、係止片４２２には、その前方辺に後述するバスダクト１０の係止孔に引っ掛かる係止用フック４２３、その後方辺に箱体４１の底面に対して略垂直方向へ延びる支持辺４２４、基部４１の後方辺と支持辺４２４との間に形成される略円弧状の案内辺４２５とが設けられている。係止片４２２の外側には、バネ性のアース用導電部材４２６が取り付けられており、導電部材４２６は接続板３６の係止孔３６１の周縁に付勢しながら当接して、係止部４２２と接続板３６を通電可能とする。係止部４２は、鋼製等の導電性の素材で形成されている。
【００２３】
規制部４３は、図２及び図３に示すように、箱体４１の前面に固定される基部４３１と、基部４３１の両外側から下方へ延設される延在部４３２を有し、基部４３１と延在部４３２は一連で略平板状である。延在部４３２は、接続ユニット３０の絶縁セパレータ３２・３２間の距離よりも幅広に形成されている。延在部４３２の下端には前方へ屈曲して形成される板部４３３が設けられ、板部４３３は、上下方向或いは係止部４２等の突出部の取付方向に対して略直交するように形成される略平板状である。板部４３３は、その幅がバスダクト１０の絶縁セパレータ３２・３２相互間の距離よりも幅広に形成されていると共に、その長さが絶縁セパレータ３２・３２相互間の距離よりも長く形成されている略方形である。本実施形態の規制部４３は、コスト面及び強度等の有利性から鋼製等の導電性の素材で形成されているが、短絡防止をより完全にすべく樹脂製等の絶縁性の素材で形成することも可能である。
【００２４】
また、本実施形態の板部４３３の下面は、係止部４２のスムーズな係止動作、分岐装置４０の単体での取り扱いの容易性、意匠性向上等の有利性から、上下方向の位置を係止部４２の下端、即ち係止片４２２の下端と略同一の位置としている。尚、板部４３３の下面の位置は、係止部４２等の突出部の開口３６２からの挿入をバスダクト１０の通電部である導電性接続部材３１に非接触な位置までに規制できる位置であれば適宜であり、係止部４２の下端よりも上若しくは下に位置させることが可能であって、本実施形態では絶縁セパレータ３２の上端と導電性接続部材３１の上端との距離の差よりも、板部４３３の下面と係止部４２の下端との距離の差が短ければよい（図７参照）。
【００２５】
固定部４４は、箱体４１の底面に固定される略平板状の基部４４１と、基部４４１の両側端縁を略直角に屈曲して下方へ延設される側片４４２を有し、基部４４１と側片４４２は正面視略コ字形になっている。両側片４４２・４４２の外側には、内側に突出するフックを有する固定フック部４４３が沿うようにそれぞれ配置され、ボルト４４４で側片４４２に固着されている。固定部４４による分岐装置４０の固定は、固定フック部４４３・４４３をバスダクトユニット２０の第２補強部２３３・２３３の外側に配置し、ボルト４４４を締めることにより、固定フック部４４３の前記フックを第２補強部２３３の下端に係止して行われる。固定部４４は、鋼製等の導電性の素材で形成されている。
【００２６】
分岐用端子４５は、絶縁材４５３で支持されている略平板状で導電性の端子片４５１を有し、一対の端子片４５１・４５１間に端子片４５１・４５１を外方へ付勢するバネ材４５２が介設されている。一対の端子片４５１・４５１の先端部は、先端に向かうに従って漸次幅狭となるように内方へ屈曲し、バスダクト１０の導電性接続部材３１・３１間に容易に挿入可能になっており、また、導電性接続部材３１・３１への挿入後は端子片４５１・４５１に対するバネ材４５２の外方への付勢で、端子片４５１と導電性接続部材３１の接触による導通の確実性が高められている。また、端子片４５１は、後述の導電性接続部材３１・３１間の挿入時に接続ユニット３０に挿入された導体端部２１１に接触しない或いは当接する長さに形成されている。本実施形態では、３線のバスダクト１０の分岐を行うため、対応する３つの分岐用端子４５が設けられている。
【００２７】
上記第１実施形態の分岐装置４０をバスダクト１０に取り付ける際には、図４及び図５に示すように、分岐装置４０とバスダクト１０の長手方向を揃え、取付側の接続板３６の係止片４２２と対応する大きさの係止孔３６１に分岐装置４０を傾けながら係止部４２の係止片４２２を挿入し、係止片４２２の前方へ突出した係止用フック４２３を係止孔４２２の縁に引っ掛ける。前記係止片４２２の挿入時には、図６に示すように、係止片４２２の外側面或いはアース用の導電部材４２６と規制部４３の延在部４３２の内側辺との間の空間に、係止孔３６１より外側の側片３６３など接続板３６の幅方向の側部が介在し、規制部４２の延在部４３２が係止部４２の係止孔３６１への挿通を案内可能になっている。
【００２８】
ここで、図７に示すように、前記係止片４２２を係止孔３６１に挿入する時に、係止片４２２を誤って分岐用端子４５を挿入すべき開口３６２に入れた場合、絶縁セパレータ３２・３２間の距離よりも幅広に形成されている延在部４３２や板部４３３が絶縁セパレータ３２の端部に当接して挿入が規制され、それ以上の挿入ができないようになっており、前記挿入規制に応じて係止片４２２を係止孔３６１に挿入し直し、正常な挿入を確保することができる。また、例えば分岐装置４０の長手方向をバスダクト１０の長手方向に対して直交方向にして係止片４２２を開口３６２に入れた場合、絶縁セパレータ３２・３２間の距離よりも前後の長さが長く形成されている板部４３３が絶縁セパレータ３２の端部に当接して挿入が規制され、更に、分岐装置４０とバスダクト１０の長手方向が揃っている場合と直交する場合以外の方向で分岐装置４０を配置し、係止片４２２を開口３６２に入れた場合にも、絶縁セパレータ３２・３２間の距離よりも幅が広く長さが長い略方形である板部４３３が絶縁セパレータ３２の端部に当接して挿入が規制される。即ち、分岐装置４０の長手方向をバスダクト１０の長手方向に対して３６０℃の何れの方向に配置して係止片４２２を開口３６２に入れた場合でも挿入が規制され、全方向に対して挿入規制が可能である。
【００２９】
その後、係止用フック４２３を係止孔３６１に引っ掛けた状態で、傾いた箱体４１を係止用フック４２３と係止孔３６１の縁を中心にバスダクト１０に添わせる位置まで回動し、３つの分岐用端子４５をまとめて挿入可能な接続板３６の開口３６２から分岐用端子４５をバスダクト１０内に挿入し、接続ユニット３０の導電性接続部材３１・３１間で、且つボルト３５２の上方の空間に端子片４５１・４５１を挿入し、端子片４５１・４５１をバネ材４５２で外方へ付勢して導電性接続部材３１・３１と接触させ導通状態を確保すると共に、固定部４４の固定フック部４４３をバスダクト１０の第２補強部２３３に引っ掛け、ボルト４４４を締め付けて分岐装置４０をバスダクト１０に固定し、分岐装置４０の取付作業が完了する。
【００３０】
上記第１実施形態のバスダクト分岐装置４０は、係止部４２の開口３６２からの挿入を規制する規制部４３を有することから、係止部４２の分岐用端子４５を挿入すべき開口３６２からの誤挿入や設置を防止することができ、確実に正規の状態での取り付けることができる。また、規制部４３が導電性の係止部４２の開口３６２からの挿入を導電性接続部材３１や導体端部２１１に非接触な位置までに規制することにより、短絡を防止して安全性を高めることができる。
［変形例］
本発明は、上記第１実施形態以外にも、例えば以下のような拡張や変形を包含する。
【００３１】
上記第１実施形態に於けるバスダクト１０は、導体が絶縁物で被覆された絶縁密着型バスダクトとしたが、本発明に於けるバスダクトの構成は適宜であり、例えば裸導体を所定間隔離間して配置し空気で絶縁する所謂空気絶縁型バスダクトとしてもよい。空気絶縁型バスダクトの場合には、規制部を絶縁性の素材で形成すると好適である。また、バスダクトユニット２０のハウジングの形状も適宜である。
【００３２】
また、バスダクト１０の分岐箇所は、第１実施形態の接続ユニット３０のような接続部に限定されず、例えばバスダクトユニット２０の中間箇所で分岐する場合にも本発明は適用可能である。また、分岐用端子４５は、バスダクト１０の構成に応じて、例えばバスダクト１０の導体若しくは導体に取り付けられる接続片等を挟み込むクリップ状のものとしてもよい。
【００３３】
また、バスダクト１０の接続部の構成は、第１実施形態の同相の導体端部２１１・２１１相互を突き合わせ、導電性接続部材３１を沿わせて電気的に接続する、突き合わせ接続に限定されず、例えば同相の導体端部２１１・２１１相互を重ね合わせ、ボルトやナット等の締着具で締着する所謂重ね合わせ接続の構成にも本発明は適用可能である。
【００３４】
また、規制部４３の構成は、係止部４２等の突出部の挿入を規制できるものであれば適宜であり、例えば図８に示すように、箱体４１の前面に固定される基部４３１と、基部４３１の両外側から下方へ延設される延在部４３２と、延在部４３２の下端から前方へ屈曲して形成される板部４３３に加え、延在部４３２の外側端縁から前方へ屈曲して形成される板状の側部４３４を設ける構成としてもよく、又、側部４３４を板部４３３の外側端縁から上方へ屈曲形成する構成、或いは側部４３４を延在部４３２及び板部４３３と連続するように形成する構成、或いは側部４３４の下端から内側へ板部４３３を屈曲形成する構成等としてもよい。また、上記第１実施形態の板部４３３は延在部４３２の下端から後方へ屈曲して延設する構成としてもよく、又、板部４３３の形状は方形板状に限定されず、例えば半円形の板状等としてもよい。また、規制部４３は、分岐装置４０の箱体４１の前面以外に固定してもよく、例えば底面、側面等に固定してもよい。
【００３５】
また、本発明の規制部が挿入を規制するのは係止部４２に限定されず、固定部４４等の他の突出部や、係止部４２と固定部４４など複数種の突出部としてもよい。固定部４４の挿入を規制する場合、例えば図９に示す規制部４７を設けてもよい。規制部４７は、底面視略Ｌ字形であり、分岐装置４０の箱体４１の側面に固定される略平板状の基部４７１と、基部４７１の略中央から下端にかけて設けられ、内方へ屈曲延設されている略平板状の屈曲部４７２とを有し、基部４７１の幅、屈曲部４７２の幅をそれぞれ絶縁セパレータ３２・３２間の距離より広くなっており、固定部４４の挿入を規制し、バスダクト１０の導電性接続部材３１等の通電部への接触を防止可能である。
【００３６】
また、例えば図１０に示すように、バスダクト接続部５０に於いて、導体端部２１１よりも幅広の平板状である接続導体５１を介在して、バスダクトユニット２０・２０の導体端部２１１・２１１相互を重ね合わせ、取付側の接続板５２の開口５２２から分岐装置４０ａの分岐用端子４５ａのクリップ状の端子片４５１ａを挿入し、端子片４５１ａ・４５１ａで接続導体５１を挟持する構成とすると共に、基部４３１ａ、延在部４３２ａ、板部４３３ａを有する規制部４３ａを絶縁性の樹脂で形成し、延在部４３２ａの先端或いは板部４３３ａの下面を係止部４２ａの先端よりも下方へ突出した位置、即ち係止部４２ａの下端よりも下側の位置に設けてもよい。前記構成により、係止部４２ａが分岐用の開口５２２に挿入された場合、絶縁性の規制部４３ａが接続導体５１に当接し、誤った取付を認識して取付の修正を図ることができると共に、導電性の係止部４２ａが接続導体５１に接触することを阻止し、短絡を防止することができる。尚、５２１は係止孔、５３は絶縁セパレータ、５４は接続導体５１や導体端部２１１に貫通されるボルト、５５はナット、５６は接続継板である。
【産業上の利用可能性】
【００３７】
本発明は、バスダクトの分岐に利用することができる。
【図面の簡単な説明】
【００３８】
【図１】（ａ）は第１実施形態に於けるバスダクトの一部切欠平面図、（ｂ）は同図（ａ）のバスダクトの側面図、（ｃ）は同図（ｂ）のＡ−Ａ線矢視断面図。
【図２】（ａ）は第１実施形態の分岐装置の平面図、（ｂ）は同図（ａ）の分岐装置の正面図、（ｃ）は同図（ａ）の分岐装置の斜視図、（ｄ）は同図（ａ）の分岐装置の右側面図、（ｅ）は同図（ａ）の分岐装置の底面図。
【図３】（ａ）は規制部の平面図、（ｂ）は同図（ａ）の阻止部の正面図、（ｃ）は同図（ａ）の阻止部の右側面図。
【図４】（ａ）は係止部を接続板の係止孔へ挿入する状態を示す一部拡大平面図。（ｂ）は同図（ａ）の状態を示す一部拡大正面図。
【図５】（ａ）は分岐装置の係止部を係止孔に挿入した状態を示す側面図、（ｂ）は分岐装置のバスダクトへの取付後の状態を示す側面図。
【図６】（ａ）は分岐装置のバスダクトへの取付前の状態を示す一部断面正面図、（ｂ）は分岐装置のバスダクトへの取付後の状態を示す一部断面正面図。
【図７】（ａ）、（ｂ）は係止部の開口からの挿入の規制部による規制を説明する一部断面正面図。
【図８】（ａ）は第１変形例の規制部及びその近傍の一部拡大平面図、（ｂ）は同図（ａ）の規制部及びその近傍の一部拡大正面図、（ｃ）は同図（ａ）の規制部及びその近傍の一部拡大側面図。
【図９】（ａ）は第２変形例の規制部及び近傍の一部拡大側面図、（ｂ）は同図（ａ）の規制部及びその近傍の一部拡大底面図。
【図１０】（ａ）、（ｂ）は係止部の開口からの挿入の第３変形例の規制部による規制を説明する一部断面正面図。
【符号の説明】
【００３９】
１０…バスダクト  ２０…バスダクトユニット  ２１…絶縁被覆導体  ２１１…導体端部  ２２…スペーサ  ２３…側板  ２３１…基板  ２３２…第１補強部  ２３３…第２補強部  ２３４…接続側板  ２４１…ボルト  ２４２…ナット  ３０…接続ユニット  ３１…導電性接続部材  ３２…絶縁セパレータ  ３３…接続継板  ３４…押さえ部材  ３５１…座金  ３５２…ボルト  ３５３…ナット  ３６…接続板  ３６１…係止孔  ３６２…開口  ３６３…側片  ４０、４０ａ…分岐装置  ４１…箱体  ４１１…基体  ４１２…蓋  ４２、４２ａ…係止部  ４２１…基部  ４２２…係止片  ４２３…係止用フック  ４２４…支持辺  ４２５…案内辺  ４２６…アース用導電部材  ４３、４３ａ…規制部  ４３１、４３１ａ…基部  ４３２、４３２ａ…延在部  ４３３、４３３ａ…板部  ４３４…側部  ４４…固定部  ４４１…基部  ４４２…側片  ４４３…固定フック部  ４４４…ボルト  ４５、４５ａ…分岐用端子  ４５１、４５１ａ…端子片  ４５２…バネ材  ４５３…絶縁材  ４６…取っ手  ４７…規制部  ４７１…基部  ４７２…屈曲部  ５０…バスダクト接続部  ５１…接続導体  ５２…接続板  ５２１…係止孔  ５２２…開口  ５３…絶縁セパレータ  ５４…ボルト  ５５…ナット  ５６…接続継板
【図１】
2008109786.tif 000003
【図２】
2008109786.tif 000004
【図３】
2008109786.tif 000005
【図４】
2008109786.tif 000006
【図５】
2008109786.tif 000007
【図６】
2008109786.tif 000008
【図７】
2008109786.tif 000009
【図８】
2008109786.tif 000010
【図９】
2008109786.tif 000011
【図１０】
2008109786.tif 000012